(57)【要約】【課題】樋に配線コードを弛み難い状態で配線することができる樋用コード保持具を提案すること。【解決手段】樋用コード保持具１は、樋２を弾性的に挟持する本体部３と、本体部３に設けられ配線コード４を保持する保持部５とを備えて成り、保持部５は配線コード４に押し当たった状態で配線コード４を保持する。【選択図】図１
2013091908.tif 000002
【特許請求の範囲】
【請求項１】
樋を弾性的に挟持する本体部と、前記本体部に設けられ配線コードを保持する保持部とを備えて成り、前記保持部は前記配線コードに押し当たった状態で前記配線コードを保持することを特徴とする樋用コード保持具。
【請求項２】
前記保持部は、前記本体部の内側面を前記本体部の外側面側に凹ませて設けた凹溝であることを特徴とする請求項１に記載の樋用コード保持具。
【請求項３】
前記保持部は、前記配線コードを前記樋に接触させた状態で前記配線コードを保持することを特徴とする請求項２に記載の樋用コード保持具。
【発明の詳細な説明】
【技術分野】
【０００１】
本発明は、竪樋や呼び樋に沿って配線コードを保持するための樋用コード保持具に関するものである。
【背景技術】
【０００２】
従来から、テレビのアンテナ等の配線コードを竪樋や呼び樋に沿って配線させるものとして、図４に示すような、竪樋控え具８が提案されている（特許文献１等参照）。
【０００３】
この竪樋控え具８は、竪樋２０を建物の壁面（図示せず）に沿って取り付けるためのものであり、配線コード４を支持する配線保持部９を備えている。
【０００４】
竪樋控え具８は、竪樋控え具８を建物の壁面に取り付けるための壁取付部８１と、竪樋２０を支持するための竪樋支持部８０とを備える。この壁取付部８１を建物の壁面に固定し、竪樋支持部８０で竪樋２０を支持することによって、竪樋２０は建物の壁面に沿って取り付けられる。
【０００５】
配線保持部９は、図４（ｂ）に示すように、一部が非連続となった略円環状のものであり、その内径Ｌ５が、配線コード４の外径Ｌ４よりも広くなるように形成されている。
【０００６】
上述した竪樋控え具８を、図４（ａ）に示すように、竪樋２０の長手方向に沿って複数取り付け、複数の配線保持部９に配線コード４を通すことで、配線コード４を竪樋２０に沿わせている。
【先行技術文献】
【特許文献】
【０００７】
【特許文献１】特開２０１１−１４４６２２号公報
【発明の概要】
【発明が解決しようとする課題】
【０００８】
しかし、上述した竪樋控え具８では、配線コード４を配線保持部９内にただ通しているだけであるので、配線コード４が弛みやすく、強風時、風に煽られて弛んだ配線コード４が暴れてしまって、安全性が低いという問題があった。また、このように配線コード４が弛んだ状態で、樋２に配線されていると、外観が良くないという問題があった。
【０００９】
そこで上記事情に鑑みて、本発明は、樋に配線コードを弛み難い状態で配線することができる樋用コード保持具を提案することを課題とする。
【課題を解決するための手段】
【００１０】
上記課題を達成する本発明の樋用コード保持具は、樋を弾性的に挟持する本体部と、前記本体部に設けられ配線コードを保持する保持部とを備えて成り、前記保持部は前記配線コードに押し当たった状態で前記配線コードを保持することを特徴とする。
【００１１】
また、前記保持部は、前記本体部の内側面を前記本体部の外側面側に凹ませて設けた凹溝であることが好ましい。
【００１２】
また、前記保持部は、前記配線コードを前記樋に接触させた状態で前記配線コードを保持することが好ましい。
【発明の効果】
【００１３】
本発明の樋用コード保持具は、樋に配線コードを弛み難い状態で配線することができる。
【図面の簡単な説明】
【００１４】
【図１】本発明の実施形態の樋用コード保持具を樋に取り付けて、配線コードを保持した状態を示し、（ａ）は平面断面図であり、（ｂ）は片側から視た斜視図であり、（ｃ）は（ｂ）とは異なる側から視た斜視図である。
【図２】同上の樋用コード保持具を示し、（ａ）は斜視図であり、（ｂ）は平面図である。
【図３】同上の樋用コード保持具を複数、樋に取り付け、配線コードを保持した状態を示す斜視図である。
【図４】従来例の竪樋控え具を示し、（ａ）は竪樋控え具を樋に取り付け、配線コードを保持した状態の斜視図であり、（ｂ）は竪樋控え具と配線コードの関係を示す説明図である。
【発明を実施するための形態】
【００１５】
本発明を添付図面に示す実施形態に基づいて説明する。
【００１６】
本実施形態の樋用コード保持具１は、図３に示すように、建物の壁面（図示せず）に取り付けられる樋２（竪樋２０や呼び樋２１）に複数（図では３つ）取り付けることによって、テレビのアンテナ等の配線コード４を樋２の長手方向に沿って配線するためのものである。本実施形態では、樋２は丸樋であり、樋２は樋保持具７によって建物の壁面に取り付けられている。
【００１７】
樋用コード保持具１は、図１（ａ）に示すように、樋２を弾性的に挟持する本体部３と、本体部３に設けられ配線コード４を保持する保持部５とを備えて成る。保持部５は配線コード４に押し当たった状態で配線コード４を保持する。
【００１８】
本実施形態では、樋用コード保持具１は、図２（ｂ）に示すように、本体部３が、樋２の外周面２２に沿うような平面視略Ｃ字状をなし、本体部３の周方向の両端部間が樋２を本体部３の内側に導入するための開口部１０となっている。開口部１０の開口幅Ｌ１は、樋２の外径Ｌ２（図１（ａ）参照）よりも短くなるように形成されている。
【００１９】
本体部３は、金属の薄板で形成されており、弾性を有する。この弾性により、本体部３は、開口部１０の開口幅Ｌ１を押し広げて、本体部３の内側に樋２を導入することができる。本実施形態では、本体部３は、図１（ａ）に示すように、その内側面３０が周方向の略全周に亘って、樋２の外周面２２に接触するように弾性変形可能となっている。なお、本体部３は、上述したように弾性変形可能であれば、合成樹脂で形成してもかまわない。
【００２０】
本体部３は、その内側面３０のうち周方向の一部（周方向の中央部）が、本体部３の外側面３１側（本体部３の径外方向）に凹んで略半円状の凹溝３２を形成しており、この凹溝３２が配線コード４を保持するための保持部５をなしている。本実施形態では、本体部３の周方向の一部（中央部）の内側面３０と外側面３１の両方が、本体部３の外側に突出するように曲げられて凹溝３２が形成されている。凹溝３２の凹み深さＬ３（図２（ｂ）参照）は、配線コード４の外径Ｌ４とほぼ同じか、それよりも若干短くなっている。これにより、凹溝３２は、配線コード４に押し当たった状態で配線コード４を保持するようになっている。
【００２１】
本実施形態では、図１（ａ）に示すように、配線コード４は、凹溝３２の底部と樋２の外周面２２とに押し当たった状態、すなわち、凹溝３２と樋２とで挟持された状態で保持される。なお、凹溝３２は、配線コード４の外形と略同大同形状となるように凹ませて形成してもかまわない。このようにすることによって、配線コード４は凹溝３２単独で挟持された状態で、凹溝３２に保持される。ここで、配線コード４は、凹溝３２単独で挟持したうえで、さらに凹溝３２と樋２とで挟持されるように保持してもかまわない。
【００２２】
また、本実施形態では、図２（ｂ）に示すように、本体部３の周方向の両端部に、樋２を本体部３の内側に導入しやすくするためのガイド部３３を設けている。ガイド部３３は、本体部３の周方向の端部から本体部３の外側に向けて円弧状に折り返した形状となっている。このような形状とすることによって、樋２に本体部３の周方向の両端部を押し当てた際に、その周方向の両端部が本体部３の内側に変位するのではなく、開口部１０の開口幅を広げる方向に変位するようになっている。
【００２３】
上述した樋用コード保持具１を用いて、建物の壁面に樋保持具７を介して取り付けられた樋２に、配線コード４を配線する手順の一例について説明する。
【００２４】
まず、配線コード４を樋２の長手方向に沿わせる。このとき、樋２の外周面２２のうち建物の壁面側等の沿わせたい側に配線コード４を位置させる。次いで、樋用コード保持具１の取り付け位置を決める。ここで、樋用コード保持具１の取り付け位置は、樋２のうち樋保持具７が取り付けられた箇所以外の部分となる。
【００２５】
そして、おおよその位置を決めた配線コード４に対向する箇所に保持部５（凹溝３２）が位置するように、樋用コード保持具１を配置して、嵌め込む方向を決める。そして、樋２の外周面２２に、樋用コード保持具１の本体部３の２つのガイド部３３を押し当て、さらに樋２に向けて樋用コード保持具１を押し込む。
【００２６】
すると、本体部３の開口部１０の開口幅が広がって、樋２は本体部３の内側へと導入される。本実施形態では、この状態で、図１（ａ）に示すように、本体部３の内側面３０のうち、凹溝３２以外の部分がほぼ全周に亘って、樋２の外周面２２に当接する。これにより、樋用コード保持具１は樋２にずれ難い状態で取り付けられる。
【００２７】
以上のようにして、樋用コード保持具１は複数、樋２に取り付けられる。ここで、隣接する樋用コード保持具１間で配線コード４が弛まないように、隣り合う樋用コード保持具１の保持部５で、配線コード４を樋２の長手方向に引っ張った状態で保持する（図３参照）。
【００２８】
上述のように複数の樋用コード保持具１を用いて樋２に取り付けた配線コード４は、樋用コード保持具１の保持部５に保持されることによって、樋２に対して位置が固定されたような状態となる。
【００２９】
そのため、本実施形態では、強風時に配線コード４が煽られて、隣り合う樋用コード保持具１の保持部５間の配線コード４が弛むことを抑制できる。これにより、弛んだ配線コード４が強風によって暴れて、配線コード４がアンテナ等から抜けてしまったり、配線コード４が建物の壁面に衝突して損傷したりすることを防止でき、安全性を確保できる。また、配線コード４を弛んでいない状態で樋２に対して位置を固定することで、配線コード４を樋２に対して一体的に取り付けるようにでき、美観向上につながる。
【００３０】
また、本実施形態の樋用コード保持具１は、樋２に押し当てて嵌め込むだけで、樋２に取り付けることができ、また、開口部１０の開口幅を弾性力に抗して広げれば、樋２から取り外すことができ、着脱が簡単である。そのため、隣り合う保持部５間で配線コード４に弛みが発生した場合には、樋用コード保持具１の位置を簡単に調整でき、その弛みを解消できる。
【００３１】
また、本実施形態では、樋用コード保持具１を金属製の薄板で形成したことによって、樋２に対する締め付け強度を長期に亘って持続させることができ、また、樋用コード保持具１の厚み（内側面３０から外側面３１までの厚み）を薄く形成しているため、樋２に取り付けた状態で樋用コード保持具１が目立ち難く、美観向上につながる。
【００３２】
また、本実施形態では、本体部３を平面視略Ｃ字状に形成したことで、丸樋である樋２のいずれの側にも取り付けることができるため、配線コード４の配線位置を自由に調整することができる。例えば、樋２のうち建物の壁面側に配線コード４を配線すれば、配線コード４を目立ち難くできて美観向上となり、また、風による影響を受け難くできる。
【００３３】
以上述べたように、本発明の実施形態の樋用コード保持具１は、樋２を弾性的に挟持する本体部３と、本体部３に設けられ配線コード４を保持する保持部５とを備えて成り、保持部５は配線コード４に押し当たった状態で配線コード４を保持している。
【００３４】
このように、本実施形態では、保持部５は、配線コード４に押し当たった状態で配線コード４を保持するので、配線コード４は保持部５に固定されるような状態となる。したがって、複数の樋用コード保持具１を樋２に取り付けて、それぞれの保持部５に配線コード４を保持する際に、それぞれの保持部５で配線コード４を引っ張ることができ、隣り合う保持部５間の配線コード４を弛み難い状態で保持することができる。また、配線コード４を引っ張った状態で保持できるので、強風時に保持部５間の配線コード４が弛むことを抑制でき、配線コード４が暴れにくくなって、安全性が向上する。また、保持部５間の配線コード４を弛まないように保持することによって、樋２に対して一体的に配線コード４を配線することができて、美観向上にもつながる。また、本実施形態では、本体部３によって樋２を弾性的に挟持することによって、樋用コード保持具１が樋２に取り付けられるので、本体部３の内側に樋２を押し込むだけで取付状態となり、本体部３を樋２から引き抜くだけで取り外し状態となる。そのため、樋２に対する樋用コード保持具１の着脱が容易である。
【００３５】
また、本発明の実施形態の樋用コード保持具１では、保持部５は、本体部３の内側面３０を本体部３の外側面３１側に凹ませて設けた凹溝３２である。
【００３６】
このように本実施形態では、本体部３の内側面３０を本体部３の外側面３１側に凹ませるといった簡単な構造で、保持部５（凹溝３２）を形成することができる。この保持部５に配線コード４を保持することによって、本実施形態では、配線コード４を樋用コード保持具１と樋２との間に保持することができる。これにより、強風時に配線コード４が風に煽られて、配線コード４が樋用コード保持具１の外側へと外れてしまうことを防止できる。
【００３７】
また、本発明の実施形態の樋用コード保持具１では、保持部５は、配線コード４を樋２に接触させた状態で配線コード４を保持している。
【００３８】
このように配線コード４を樋２に接触させた状態で保持することで、本実施形態では、配線コード４が風に煽られ難く、保持部５間の配線コード４が弛むことをさらに抑制できる。また、配線コード４が目立ち難くなり、美観向上につながる。
【００３９】
なお、上述した実施形態においては、樋２として丸樋を用いた例を説明したが、樋２は角樋であってもよく、その場合、本体部３は樋２の外形に沿った半矩形状をなすように形成すればよい。また、必ずしも本体部３は、凹溝３２を除いた内側面３０が周方向の全周に亘って樋２の外周面２２に当接する必要はなく、本体部３は樋２を少なくとも一部で挟持するものであればよい。また、保持部５は、本体部３の外側面３１に設けてもかまわない。その場合、保持部５は、配線コード４を挟持することによって、配線コード４に押し当たった状態で配線コード４を保持するようにすればよい。
【００４０】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４１】
１      樋用コード保持具
２      樋
３      本体部
４      配線コード
５      保持部
３０    内側面
３１    外側面
３２    凹溝
【図１】
2013091908.tif 000003
【図２】
2013091908.tif 000004
【図３】
2013091908.tif 000005
【図４】
2013091908.tif 000006